(57)【特許請求の範囲】
【請求項１】
昇降路、昇降路内に配設された乗りかご、昇降路内に配設され前記乗りかごを駆動する駆動装置、および昇降路内に配設され前記駆動装置を制御する制御装置とを備え、前記駆動装置および前記制御装置を前記昇降路内の上方部に配設した機械室レスタイプのエレベータ装置であって、
前記乗りかごに配設され通常は乗りかご内の空気を換気する換気装置と、
乗りかごが上方階に停止あるいは休止している時に、かごの戸を開けて、前記換気装置によって昇降路内の空気を乗りかご内の空気とともに換気する換気運転制御手段と
を備えたことを特徴とするエレベータ装置。
【請求項２】
昇降路、昇降路内に配設された乗りかご、昇降路内に配設され前記乗りかごを駆動する駆動装置、および昇降路内に配設され前記駆動装置を制御する制御装置とを備え、前記駆動装置および前記制御装置を前記昇降路内の下方部に配設した機械室レスタイプのエレベータ装置であって、
前記乗りかごに配設され通常は乗りかご内の空気を換気する換気装置と、
乗りかごが下方階に停止あるいは休止している時に、かごの戸を開けて、前記換気装置によって昇降路内の空気を乗りかご内の空気とともに換気する換気運転制御手段と
を備えたことを特徴とするエレベータ装置。
【請求項３】
昇降路に配設した温度検出器を備え、換気運転制御手段は、前記温度検出器の温度が基準値を超えた場合で、かつ乗客がいない時または運行休止中に、乗りかごを所定階に移動して換気することを特徴とする請求項１または請求項２に記載のエレベータ装置。
【発明の詳細な説明】
【０００１】
【発明の属する技術分野】
この発明は、昇降路内に駆動装置および制御装置を配設した機械室レスタイプのエレベータ装置に関するものであり、特に駆動装置および制御装置の温度上昇防止と昇降路の換気に関するものである。
【０００２】
【従来の技術】
近年、特開平７−１０４３４号公報にその一例を示す（図示せず）ような、建物の屋上に機械室を持たず、巻上機などの駆動装置や制御装置を昇降路内に配置する、いわゆる機械室レスタイプと呼ばれるエレベータが注目を浴びている。従来からホームエレベータなどの小型エレベータにはこのような方式を採用してきているが、近年では汎用のエレベータにも適用範囲が拡大している。図８は駆動装置や制御装置を昇降路内に設置する従来の機械室レスタイプのエレベータ装置を示す。１は昇降路、２は乗りかご、３は釣合いおもり、４はロープ１５を介して連結された乗りかご２と釣合いおもり３を駆動する巻上機などの駆動装置、５はその駆動装置４を制御する制御装置であり、駆動装置４と制御装置５は昇降路１内の上部に設置されている。また、６は昇降路１の上部の壁に設けた換気装置である。
【０００３】
このような従来の機械室レスタイプのエレベータ装置においては、昇降路１内に設置した駆動装置４や制御装置５の発熱により、昇降路１内の温度が上昇するので、機器の寿命を短くする要因となる。特に、昇降路１内の暖まった空気は上方に移動するため、昇降路１の上部の温度が高く、下部の温度が低いというように、温度分布が不均一になり、上方の機器の温度マージンが少なくなる。また、かご２の昇降によって若干の空気の移動があるが、図８の矢印に示すようにかご２の周囲に乱れた気流ができる程度で、昇降路１全体の空気の流れにはならないため、駆動装置４や制御装置５を冷却したり、昇降路１内の温度を均一にすることはできなかった。そこで、上部に溜まった暖かい空気を排出する為に換気装置６を設置する必要があった。
【０００４】
さらに、特開平５−１９３８６３号公報および実開平６−４９４６７号公報に示す（図示せず）ような、昇降路上部の機械室に冷房ユニットを設置し、昇降路内上部の空気を空調ユニットに吸入し、空調ユニットから吹き出す冷気を送風機と吹き出しダクトにより昇降路の下部まで導いて昇降路内を冷却するエレベータ空調装置が提案されている。また、特開平６−２４６６６号公報に示す（図示せず）ような、昇降路の上部と下部と特定の室内を連通するダクトを設置し、かごの昇降にともない発生する気流を導き昇降路と特定の室内を換気する方法も提案されている。
【０００５】
また、特開平６−２２７７５６号公報ではかごに設置された換気装置を、昇降路の温度と乗場の温度、さらにかご室内温度を判別し、排気運転と吸気運転を切換えることにより、かご室内の環境を快適にする方法が提案されている。
【０００６】
【発明が解決しようとする課題】
上記のような従来の機械室レスタイプのエレベータ装置では、駆動装置や制御装置から発生する熱で暖められた空気が昇降路の上部に移動し、昇降路内の空気が滞留するため昇降路の温度が不均一になる。また換気装置を設置する場合でも、昇降路が建物の外壁に面していなければ外壁と繋ぐ為の通風ダクトを建物側に用意する必要が生じる。さらに外部に排気しない場合でも、昇降路内の温度が均一になるように空気を循環させるための大容量かつ大型の換気装置が必要となりコストが上昇する。という欠点もあった。
【０００７】
この発明の目的は、昇降路に換気装置を設置することなく昇降路内の温度を均一化し、駆動装置や制御装置の温度マージンが確保できる機械室レスタイプのエレベータ装置を提供することにある。
【０００８】
【課題を解決するための手段】
【０００９】
駆動装置および制御装置を昇降路内の上方部に配設した機械室レスタイプのエレベータ装置であって、乗りかごに配設され、通常は乗りかご内の空気を換気する換気装置と、乗りかごが上方階に停止あるいは休止している時に、かごの戸を開けて、前記換気装置によって昇降路内の空気を乗りかご内の空気とともに換気する換気運転制御手段とを備えたものである。
【００１０】
駆動装置および制御装置を昇降路内の下方部に配設した機械室レスタイプのエレベータ装置であって、乗りかごに配設され、通常は乗りかご内の空気を換気する換気装置と、乗りかごが下方階に停止あるいは休止している時に、かごの戸を開けて、前記換気装置によって昇降路内の空気を乗りかご内の空気とともに換気する換気運転制御手段とを備えたものである。
【００１１】
昇降路に配設した温度検出器を備え、換気運転制御手段は、前記温度検出器の温度が基準値を超えた場合で、かつ乗客がいない時または運行休止中に、乗りかごを所定階に移動して換気するものである。
【００１２】
【発明の実施の形態】
実施の形態１．
図１はこの発明の実施の形態１を示すエレベータ装置の構成図である。１は昇降路、２は乗りかご、４は乗りかご２を昇降駆動する巻上機などの駆動装置、５は駆動装置４を制御する制御装置であり、駆動装置４と制御装置５は昇降路１内の上部に設置されている。１０は乗りかご２に設置され、通常は乗りかご２内の空気を昇降路１へ排出してかご内を換気し、本発明による換気運転モードの場合には、昇降路１内の空気をかご１内に吸引し、かごの戸および乗場の戸を開放して、かご１内の空気とともに昇降路１内の空気を、乗場に排出することにより、昇降路１内を換気する換気装置、１２ａはかごの戸、１２ｂは乗場の戸である。
【００１３】
また、図２はこの発明の機能構成図であり（一部後述する機能を含む）、１００は制御装置５に設けられた換気運転制御手段であり、換気装置１０およびドア装置１２へ制御信号を出力する。図３はこの発明の実施の形態１を示す、換気運転モード１０１のフローを示すものであり、かごが、昇降路１の上部に設置した駆動装置４と制御装置５の近傍の所定階、例えば最上階に停止している場合で、運行休止中または乗客がいない時に、かごの戸１２ａ、および乗場の戸１２ｂを開けて、換気装置を作動させるように構成したものである。
【００１４】
このように構成されたエレベータ装置において、図３のフローに示すように、換気運転制御手段１００は、換気運転モード１０１に従って動作する。ステップ１１で、乗りかご２が予め設定された上方階に停止しているかどうかを判定し、上方階に停止している場合は、ステップ１２を実行する。ステップ１２では、エレベータが運転休止中かどうかを判定し、運転休止中であればステップ１４を実行し、運転休止中でなければ次のステップ１３を実行する。ステップ１３では、乗客の呼びつまり乗場の呼びまたはかごの呼びがあるかどうかを判定し、乗客の呼びがなければ、ステップ１４を実行する。ステップ１４では、かごの戸１２を開放する指令を出力する。ステップ１５では、戸１２が全開であることを確認し、昇降路１内の空気をかご２内に吸引し、かご内の空気とともに乗場へ排出動作するように、換気装置１０の作動指令を出力する。このように、乗客へのサービスを優先し、エレベータが運転休止中もしくは乗客の呼びがない停止中の状態であることを確認し、かごの戸１２ａおよび乗場の戸１２ｂを開け、昇降路１内の空気を乗りかご２内へ吸引し、乗りかご２内の空気とともに乗場へ排出するように、乗りかご２の換気装置１０を作動させて、昇降路１内の上部に滞留した暖められた空気を排出し、昇降路１内の温度を下げることができる。
【００１５】
実施の形態２．
図４はこの発明の実施の形態２を示すエレベータ装置の構成図である。１は昇降路、２は乗りかご、４は乗りかご２を昇降駆動する巻上機などの駆動装置、５は駆動装置４を制御する制御装置であり、駆動装置４と制御装置５は昇降路１内の下部に設置されている。１０は乗りかご２に設置され、通常は乗りかご２内の空気を昇降路１へ排出してかご内を換気し、本発明による換気運転モードの場合には、昇降路１内の空気をかご１内に吸引し、かごの戸および乗場の戸を開放して、かご１内の空気とともに昇降路１内の空気を、乗場に排出することにより、昇降路１内を換気する換気装置、１２ａはかごの戸、１２ｂは乗場の戸である。
【００１６】
また、図２に示すこの発明の機能構成図のように、１００は制御装置５に設けられた換気運転制御手段であり、換気装置１０およびドア装置１２へ制御信号を出力する。図５はこの発明の実施の形態２を示す、換気運転モード１０２のフローを示すものであり、かごが、昇降路１の下部に設置した駆動装置４と制御装置５の近傍の所定階、例えば最下階に停止している場合で、運行休止中または乗客がいない時に、かごの戸１２ａ、および乗場の戸１２ｂを開けて、換気装置を作動させるように構成したものである。
【００１７】
このように構成されたエレベータ装置において、図５のフローに示すように、換気運転制御手段１００は、換気運転モード１０２に従って動作する。ステップ２１で、乗りかご２が予め設定された下方階に停止しているかどうかを判定し、下方階に停止している場合は、ステップ２２を実行する。ステップ２２では、エレベータが運転休止中かどうかを判定し、運転休止中であればステップ２４を実行し、運転休止中でなければ次のステップ２３を実行する。ステップ２３では、乗客の呼びつまり乗場の呼びまたはかごの呼びがあるかどうかを判定し、乗客の呼びがなければ、ステップ２４を実行する。ステップ２４では、かごの戸１２を開放する指令を出力する。ステップ２５では、戸１２が全開であることを確認し、昇降路１内の空気をかご２内に吸引し、かご内の空気とともに乗場へ排出動作するように、換気装置１０の作動指令を出力する。このように、乗客へのサービスを優先し、エレベータが運転休止中もしくは乗客の呼びがない停止中の状態であることを確認し、かごの戸１２ａおよび乗場の戸１２ｂを開け、昇降路１内の空気を乗りかご２内へ吸引し、乗りかご２内の空気とともに乗場へ排出するように、乗りかご２の換気装置１０を作動させて、昇降路１内の下部に設置した、駆動装置４および制御装置５から発生した、暖められた空気を排出し、昇降路１内の温度を下げることができる。
【００１８】
実施の形態３．
図６はこの発明の実施の形態３を示すエレベータ装置の構成図である。１は昇降路、２は乗りかご、４は乗りかご２を昇降駆動する巻上機などの駆動装置、５は駆動装置４を制御する制御装置であり、駆動装置４と制御装置５は昇降路１内の上部に設置されている。１０は乗りかご２に設置され、通常は乗りかご２内の空気を昇降路１へ排出してかご内を換気し、本発明による換気運転モードの場合には、昇降路１内の空気をかご１内に吸引し、かごの戸および乗場の戸を開放して、かご１内の空気とともに昇降路１内の空気を、乗場に排出することにより、昇降路１内を換気する換気装置、１１は昇降路１内の上部に配設され、昇降路１内の温度を検出する温度検出器，１２ａはかごの戸、１２ｂは乗場の戸である。
【００１９】
また、図２はこの発明の機能構成図であり、１００は制御装置５に設けられた換気運転制御手段であり、温度検出器１１から信号を入力し、駆動装置４、換気装置１０およびドア装置１２へ制御信号を出力する。図７はこの発明の実施の形態３を示す、換気運転モード１０３のフローを示すものであり、温度検出器１１の温度が基準値を超えた場合で、かつ運行休止中または乗客がいない時に、乗りかご２を昇降路１内の所定階、例えば図６では最上階に移動し、乗場の戸１２ａおよびかごの戸１２ｂを開けて、換気装置を作動させるように構成した。
【００２０】
このように構成されたエレベータ装置において、図７のフローに示すように、換気運転制御手段１００は、換気運転モード１０３に従って動作する。ステップ３１で、昇降路１内の温度が上昇し、温度検出器１１の温度が基準値を超えたどうかを判定し、基準値を超えた場合は、ステップ３２を実行する。ステップ３２では、エレベータが運転休止中かどうかを判定し、運転休止中であればステップ３４を実行し、運転休止中でなければ次のステップ３３を実行する。ステップ３３では、乗客の呼びつまり乗場の呼びまたはかごの呼びがあるかどうかを判定し、乗客の呼びがなければ、ステップ３４を実行する。ステップ３４では、乗りかご２を予め設定した所定階へ移動させるように、かご移動指令を出力する。ステップ３５では、乗りかご２が予め設定した所定階に停止したことを確認し、かごの戸１２ａおよび乗場の戸１２ｂを開放する指令を出力する。かごの戸１２ａおよび乗場の戸１２ｂが全開であることを確認し、昇降路１内の空気をかご２内に吸引し、かご内の空気とともに乗場へ排出動作するように、換気装置１０の作動指令を出力する。このように、乗客へのサービスを優先し、エレベータが運転休止中もしくは乗客の呼びがない停止中の状態であることを確認し、かごの戸１２ａおよび乗場の戸１２ｂを開け、昇降路１内の空気を乗りかご２内へ吸引し、乗りかご２内の空気とともに乗場へ排出するように、乗りかご２の換気装置１０を作動させて、昇降路１内の上部に滞留した暖められた空気を排出し、昇降路１内の温度を下げることができる。
【００２１】
図６では、駆動装置４および制御装置５が、昇降路１内の上部に設置された例を示したが、駆動装置４および制御装置５、あるいはどちらか１つが昇降路１内の下部に配設された場合でも、乗りかご２を上方階または下方階のどちらか、昇降路１内の温度が高い方へ移動させて、本発明の換気運転制御手段により、エレベータが運転休止中もしくは乗客の呼びがない停止中の状態であることを確認し、換気運転を行っても、同様な効果を得られることは言うまでもない。
また上記のいずれの例においても、かごの戸１２ａおよび乗場の戸１２ｂを開け、乗りかご２内の空気を昇降路１内へ吹き込み、乗場の外気を乗りかご２内の空気とともに昇降路内に取り込むように、乗りかご２の換気装置１０を作動させて、昇降路１内の空気を他の階床の乗場などの昇降路の隙間を介して排出し、昇降路１内の温度を下げることにより、同様な効果を得られることは言うまでもない。
【００２２】
【発明の効果】
【００２３】
駆動装置および制御装置を昇降路内の上方部に配設した機械室レスタイプのエレベータ装置であって、乗りかごに配設され、通常は乗りかご内の空気を換気する換気装置と、乗りかごが上方階に停止あるいは休止している時に、かごの戸を開けて、前記換気装置によって昇降路内の空気を乗りかご内の空気とともに換気する、換気運転制御手段とを備えたことにより、昇降路に換気装置を設置することなく、昇降路の換気を行うことができる。
【００２４】
駆動装置および制御装置を昇降路内の下方部に配設した機械室レスタイプのエレベータ装置であって、乗りかごに配設され、通常は乗りかご内の空気を換気する換気装置と、乗りかごが下方階に停止あるいは休止している時に、かごの戸を開けて、前記換気装置によって昇降路内の空気を乗りかご内の空気とともに換気する、換気運転制御手段とを備えたことにより、昇降路に換気装置を設置することなく、昇降路の換気を行うことができる。
【００２５】
昇降路に配設した温度検出器を備え、換気運転制御手段は、前記温度検出器の温度が基準値を超えた場合で、かつ乗客がいない時または運行休止中に、乗りかごを所定階に移動して換気することにより、昇降路に換気装置を設置することなく、昇降路の換気を行うことができる。
【図面の簡単な説明】
【図１】  この発明の実施の形態１を示すエレベータ装置の構成図。
【図２】  この発明の実施の形態１を示す機能構成図。
【図３】  この発明の実施の形態１を示す換気運転モード制御フロー１０１。
【図４】  この発明の実施の形態２を示すエレベータ装置の構成図。
【図５】  この発明の実施の形態２を示す換気運転モード制御フロー１０２。
【図６】  この発明の実施の形態３を示すエレベータ装置の構成図。
【図７】  この発明の実施の形態３を示す換気運転モード制御フロー１０３。
【図８】  この発明の従来例を示すエレベータ装置の構成図。
【符号の説明】
１  昇降路、２  乗りかご、４  駆動装置、５  制御装置、１０  かごの換気装置、１１  温度検出器、１２  ドア装置、１２ａ  かごの戸、１２ｂ  乗場の戸、１００  換気運転制御手段。
【図１】
0004356150.tif 000002
【図２】
0004356150.tif 000003
【図３】
0004356150.tif 000004
【図４】
0004356150.tif 000005
【図５】
0004356150.tif 000006
【図６】
0004356150.tif 000007
【図７】
0004356150.tif 000008
【図８】
0004356150.tif 000009